(57)【要約】【課題】光モジュールをケージ内のコネクタに接続する際に回線障害が誤検出されることを防止する接続機構、前記ケージが設けられたプリント基板及び該プリント基板を有する電子装置を提供することを課題とする。【解決手段】プリント基板５３が、コネクタ５７の第１の面５７ａ、第２の面５７ｂの間の空間に、第１の面５７ａ、第２の面５７ｂと略平行に挿入されるようにＳＦＰモジュール（光モジュール）５１を案内するガイド手段１０１をケージ５５内に設ける。【選択図】図１
2007294349.tif 000002
【特許請求の範囲】
【請求項１】
一方の面側に電源端子が、他方の面側にデータ端子が形成されたプリント基板が内部に設けられ、前記プリント基板の電源端子、データ端子近傍に開放面が形成された光モジュールと、
前記開放面側が前部となるように前記光モジュールが挿入される開放面が形成され、内部に、挿入された前記光モジュール内の前記プリント基板の一方の面と空間を介して対向する第１の面、前記プリント基板の他方の面と空間を介して対向する第２の面を有し、前記第１の面には、前記プリント基板の一方の面に形成された端子に当接に可能で、可撓性を有する端子が設けられ、前記第２の面には、前記プリント基板の他方の面に形成された端子に当接可能で、可撓性を有する端子が設けられたコネクタが設置されたケージと、
からなり、
前記光モジュールを前記ケージに挿入した際に、前記プリント基板の電源端子と前記コネクタの第１の面の端子とが最初に接続され、次に、前記プリント基板のデータ端子と前記コネクタの第２の面の端子とが接続されるように、前記光モジュールの挿入方向で、前記プリント基板の電源端子が前記プリント基板のデータ端子より前側に形成された接続機構において、
前記プリント基板が、前記コネクタの第１の面、前記第２の面の間の空間に、前記第１の面、前記第２の面と略平行に挿入されるように前記光モジュールを案内するガイド手段を前記ケージ内に設けたことを特徴とする端子接続機構。
【請求項２】
前記ガイド手段は、
ケージの内面であって、前記コネクタの第１の面、第２の面と平行な面に設けられ、前記光モジュールが当接可能な第１の突部と、第２の突部とからなり、
前記第１の突部は、前記開放面近傍に設けられ、
前記第２の突部は、前記コネクタの近傍に設けられたことを特徴とする請求項１記載の端子接続機構。
【請求項３】
請求項１又は２記載のケージが設けられたことを特徴とするプリント基板。
【請求項４】
請求項３に記載のプリント基板を有することを特徴とする電子装置。
【発明の詳細な説明】
【技術分野】
【０００１】
本発明は、一方の面側に電源端子が、他方の面側にデータ端子が形成されたプリント基板が内部に設けられ、前記プリント基板の電源端子、データ端子近傍に開放面が形成された光モジュールと、前記開放面側が前部となるように前記光モジュールが挿入される開放面が形成され、内部に、挿入された前記光モジュール内の前記プリント基板の一方の面と空間を介して対向する第１の面、前記プリント基板の他方の面と空間を介して対向する第２の面を有し、前記第１の面には、前記プリント基板の一方の面に形成された端子に当接に可能で、可撓性を有する端子が設けられ、前記第２の面には、前記プリント基板の他方の面に形成された端子に当接可能で、可撓性を有する端子が設けられたコネクタが設置されたケージと、からなり、前記光モジュールを前記ケージに挿入した際に、前記プリント基板の電源端子と前記コネクタの第１の面の端子とが最初に接続され、次に、前記プリント基板のデータ端子と前記コネクタの第２の面の端子とが接続されるように、前記光モジュールの挿入方向で、前記プリント基板の電源端子が前記プリント基板のデータ端子より前側に形成された接続機構、前記ケージが設けられたプリント基板及び該プリント基板を有する電子装置に関する。
【背景技術】
【０００２】
電気信号と光信号とを相互に変換するための電子部品である光モジュールには、プラグタイプとしてコネクタに挿抜できるようにしたものがある。この光モジュールは、ＳＦＰ（Ｓｍａｌｌ Ｆｏｒｍ−Ｆａｃｔｏｒ Ｐｌｕｇｇａｂｌｅ）モジュールと呼ばれている。
【０００３】
図２−図６を用いて、プラグタイプとした光モジュールであるＳＦＰモジュールの端子接続機構を説明する。図２はＳＦＰモジュールとケージの端子接続機構を説明する図、図３は図２のＳＦＰモジュール内に設けられたプリント基板の一方の面を説明する図、図４は図３のプリント基板の一方の面を説明する図、図５は図３、図４のプリント基板に形成された端子の長さを説明する図、図６は図２のプリント基板とコネクタとの接続を説明する図である。
【０００４】
最初に、図２に示すように、ＳＦＰモジュール１には、開放面１ａが形成されている。ＳＦＰモジュール１内には、プリント基板３が設けられている。ケージ５には、開放面５ａが形成され、内部にコネクタ７が設けられている。
【０００５】
そして、開放面１ａ側が前部となるようにＳＦＰモジュール１が、ケージ５の開放面５ａに挿入される。
プリント基板３の一方の面側、本従来例では上側の面には、図３に示すように、ＧＮＤ（グランド）端子３ａ、電源端子３ｂ、信号端子３ｃの３種類の端子が一列上に１０コ形成されている。プリント基板３の他方の面側、本従来例では下側の面には、図４に示すように、ＧＮＤ（グランド）端子３ａ、信号端子３ｃの２種類の端子が、プリント基板３の上側に形成された端子群と対向する箇所に、一列上に１０コ形成されている。そして、プリント基板３は、ＳＦＰモジュール１の開放面１ａ近傍に、これら端子群が位置するようにＳＦＰモジュール１内に設けられている。
【０００６】
また、プリント基板３に形成される３種類の端子の長さは、図５（ａ）−（ｃ）に示すようにそれぞれ異なっており、ＧＮＤ（グランド）端子３ａ、電源端子３ｂ、信号端子３ｃの順で長さが短くなっている。そして、ＳＦＰモジュール１のケージ５への挿入方向（図２−図５における矢印Ａ方向）において、これら３種類の端子の始端は全て同じ位置から始まっている。従って、終端がプリント基板３の縁部３ｓに一番近いのはＧＮＤ端子３ａ、次に電源端子３ｂとなり、一番離れているのが信号端子３ｃとなっている。
【０００７】
図６に示すように、ケージ５内に設けられたコネクタ７は、挿入されたＳＦＰモジュール１内のプリント基板３の一方の面と空間を介して対向する第１の面７ａと、プリント基板３の他方の面と空間を介して対向する第２の面７ｂとを有している。そして、第１の面７ａには、プリント基板３の一方の面に形成された端子に当接に可能な端子７ｃが設けられ、第２の面７ｂには、プリント基板３の他方の面に形成された端子に当接可能な端子７ｄが設けられている（例えば、特許文献１参照）。
【０００８】
図２−図６に示すＳＦＰモジュールの接続構造においては、回線障害（ＴＸ＿ＦＡＵＬＴ）を検出するトリガとして、
（１）ＳＦＰモジュール内のＬＤモジュールの異常時
（２）ＶＣＣＴ、ＶＣＣＲの電源が入ってから、ＤＡＴＡ入力信号（ＴＤ＋、ＴＤ−）が入るまでの時間がある規定時間を越える
の２つのトリガがある。
【０００９】
ＴＸ＿ＦＡＵＬＴが検出された場合、装置によっては、ラッチして光出力をシャットダウンするものがある。また、ＴＸ＿ＦＡＵＬＴを検出後、一旦リセット信号をかけて、ＬＤ（Ｌａｓｅｒ  Ｄｉｏｄｅ）モジュールの異常によるＳＦＰモジュールの故障なのかそれとも誤検出であるのか状態を確認する装置もある。いずれにしても、装置の稼働に大きな支障をきたす。
【特許文献１】特開２００２−３５３４７１公報
【発明の開示】
【発明が解決しようとする課題】
【００１０】
図２−図６に示すＳＦＰモジュールの接続構造において、図６に示すように、プリント基板３がコネクタ７の第１の面７ａ、第２の面７ｂに対して、平行に挿入されると、ＶＣＣＴ、ＶＣＣＲの電源が入ってから、ＤＡＴＡ入力信号（ＴＤ＋、ＴＤ−）が入るまでの時間（プリント基板３の上面の電源端子３ｂがコネクタ７の第１の面７ａの端子７ｃに電気的に接続されてから、プリント基板３の下面の信号端子（ＴＸ＿ＦＡＵＬＴ端子）３ｃがコネクタ７の第２の面７ｂの端子７ｄに電気的に接続されるまでの時間）が規定時間を越えることがなく、回線障害（ＴＸ＿ＦＡＵＬＴ）は発生しない。
【００１１】
しかし、図７に示すように、プリント基板３がコネクタ７の第１の面７ａ、第２の面７ｂに対して、斜めになるように挿入されると、ＶＣＣＴ、ＶＣＣＲの電源が入ってから、ＤＡＴＡ入力信号（ＴＤ＋、ＴＤ−）が入るまでの時間が（プリント基板３の上面の電源端子３ｂがコネクタ７の第１の面７ａの端子７ｃに電気的に接続されてから、プリント基板３の下面の信号端子（ＴＸ＿ＦＡＵＬＴ端子）３ｃがコネクタ７の第２の面７ｂの端子７ｄに電気的に接続されるまでの時間）規定時間を越え、回線障害（ＴＸ＿ＦＡＵＬＴ）となる場合がある。
【００１２】
これは、コネクタ７の端子７ｃ、７ｄは可撓性を有している。よって、図８に示すように、プリント基板３がコネクタ７の第１の面７ａに向かって斜めに挿入されると、プリント基板３の上面のＧＮＤ端子３ａや電源端子３ｂがコネクタ７の第１の面７ａの端子７ｃに当接する。この時、プリント基板３の上面のＧＮＤ端子３ａや電源端子３ｂが、コネクタ７の端子７ｃを押しつぶす。よって、端子７ｃと端子７ｄとの間隔が広がる。このため、プリント基板３の下面の信号端子（ＴＸ＿ＦＡＵＬＴ）３ｃとコネクタ７
の端子７ｄとの電気的に接続される迄の時間が延び、規定時間を越え、回線障害（ＴＸ＿ＦＡＵＬＴ）となる。
【００１３】
本発明は、上記問題点に鑑みてなされたもので、その課題は、光モジュールをケージ内のコネクタに接続する際に回線障害が誤検出されることを防止する接続機構、前記ケージが設けられたプリント基板及び該プリント基板を有する電子装置を提供することにある。
【課題を解決するための手段】
【００１４】
上記課題を解決する請求項１に係る発明は、一方の面側に電源端子が、他方の面側にデータ端子が形成されたプリント基板が内部に設けられ、前記プリント基板の電源端子、データ端子近傍に開放面が形成された光モジュールと、前記開放面側が前部となるように前記光モジュールが挿入される開放面が形成され、内部に、挿入された前記光モジュール内の前記プリント基板の一方の面と空間を介して対向する第１の面、前記プリント基板の他方の面と空間を介して対向する第２の面を有し、前記第１の面には、前記プリント基板の一方の面に形成された端子に当接に可能で、可撓性を有する端子が設けられ、前記第２の面には、前記プリント基板の他方の面に形成された端子に当接可能で、可撓性を有する端子が設けられたコネクタが設置されたケージと、からなり、前記光モジュールを前記ケージに挿入した際に、前記プリント基板の電源端子と前記コネクタの第１の面の端子とが最初に接続され、次に、前記プリント基板のデータ端子と前記コネクタの第２の面の端子とが接続されるように、前記光モジュールの挿入方向で、前記プリント基板の電源端子が前記プリント基板のデータ端子より前側に形成された接続機構において、前記プリント基板が、前記コネクタの第１の面、前記第２の面の間の空間に、前記第１の面、前記第２の面と略平行に挿入されるように前記光モジュールを案内するガイド手段を前記ケージ内に設けたことを特徴とする端子接続機構である。
【００１５】
光モジュールをケージの開放面から挿入すると、最初に光モジュール内のプリント基板の一方の面に形成された電源端子がコネクタの第１の面に形成された端子に接続され、次に、光モジュール内のプリント基板の他方の面に形成された信号端子がコネクタの第２の面に形成された端子に接続される。
【００１６】
請求項２に係る発明は、前記ガイド手段は、ケージの内面であって、前記コネクタの第１の面、第２の面と平行な面に設けられ、前記光モジュールが当接可能な第１の突部と、第２の突部とからなり、前記第１の突部は、前記開放面近傍に設けられ、前記第２の突部は、前記コネクタの近傍に設けられたことを特徴とする請求項１記載の端子接続機構である。
【００１７】
請求項３に係る発明は、請求項１又は２記載のケージが設けられたことを特徴とするプリント基板である。
請求項４に係る発明は、請求項３に記載のプリント基板を有することを特徴とする電子装置である。
【発明の効果】
【００１８】
請求項１−２に係る発明によれば、前記プリント基板が、前記コネクタの第１の面、前記第２の面の間の空間に、前記第１の面、前記第２の面と略平行に挿入されるように前記光モジュールを案内するガイド手段を前記ケージ内に設けたことにより、電源端子が電気的に接続されてから、信号端子が電気的に接続されるまでの時間が、規定時間内となり、回線障害が誤検出されない。
【００１９】
請求項２に係る発明によれば、前記ガイド手段は、ケージの内面であって、前記コネクタの第１の面、第２の面と平行な面に設けられ、前記光モジュールが当接可能な第１の突部と、第２の突部とからなり、前記第１の突部は、前記開放面近傍に設けられ、前記第２の突部は、前記コネクタの近傍に設けられたことにより、ガイド手段の構成が簡単ある。
【００２０】
請求項３に係る発明によれば、前記プリント基板が、前記コネクタの第１の面、前記第２の面の間の空間に、前記第１の面、前記第２の面と略平行に挿入されるように前記光モジュールを案内するガイド手段を前記ケージ内に設けたことにより、電源端子が電気的に接続されてから、信号端子が電気的に接続されるまでの時間が、規定時間内となり、回線障害が誤検出されない。
【００２１】
請求項４に係る発明によれば、前記プリント基板が、前記コネクタの第１の面、前記第２の面の間の空間に、前記第１の面、前記第２の面と略平行に挿入されるように前記光モジュールを案内するガイド手段を前記ケージ内に設けたことにより、電源端子が電気的に接続されてから、信号端子が電気的に接続されるまでの時間が、規定時間内となり、回線障害が誤検出されない。
【発明を実施するための最良の形態】
【００２２】
図１を用いて説明する。図において、
図において、光ファイバ４１が接続される光モジュールとしてのＳＦＰモジュール５１には、開放面５１ａが形成されている。ＳＦＰモジュール５１内には、プリント基板５３が設けられている。このＳＦＰモジュール５１が接続されるハブ、ルータ、スイッチ等の電子機器内４３のプリント基板４５に設けられるケージ５５には、開放面５５ａが形成され、内部にコネクタ５７が設けられている。
【００２３】
そして、開放面５１ａ側が前部となるようにＳＦＰモジュール５１が、ケージ５の開放面５５ａに挿入される。
プリント基板５３の一方の面側、本形態例では上側の面には、図３と同様に、ＧＮＤ（グランド）端子、電源端子、信号端子の３種類の端子が一列上に１０コ形成されている。プリント基板５３の他方の面側、本形態例では下側の面には、図４と同様に、ＧＮＤ（グランド）端子、信号端子の２種類の端子が、プリント基板５３の上側に形成された端子群と対向する箇所に、一列上に１０コ形成されている。そして、プリント基板５３は、ＳＦＰモジュール５１の開放面５１ａ近傍に、これら端子群が位置するようにＳＦＰモジュール５１内に設けられている。
【００２４】
また、プリント基板５３に形成される３種類の端子の長さは、それぞれ異なっており、図５（ａ）−（ｃ）と同様に、ＧＮＤ（グランド）端子、電源端子、信号端子の順で長さが短くなっている。そして、ＳＦＰモジュール５１のケージ５５への挿入方向（図１における矢印Ｂ方向）において、これら３種類の端子の始端は全て同じ位置から始まっている。従って、終端がプリント基板５３の縁部に一番近いのはＧＮＤ端子、次に電源端子となり、一番離れているのが信号端子となっている。
【００２５】
ケージ５５内に設けられたコネクタ７７は、挿入されたＳＦＰモジュール５１内のプリント基板５３の一方の面と空間を介して対向する第１の面５７ａと、プリント基板５３の他方の面と空間を介して対向する第２の面５７ｂとを有している。そして、第１の面５７ａには、プリント基板５３の一方の面に形成された端子に当接に可能な端子５７ｃが設けられ、第２の面５７ｂには、プリント基板５３の他方の面に形成された端子に当接可能な端子５７ｄが設けられている。
【００２６】
そして、ケージ５５内には、プリント基板５３が、コネクタ５７の第１の面５７ａ、第２の面５７ｂの間の空間に、第１の面５７ａ、第２の面５７ｂと略平行に挿入されるようにＳＦＰモジュール５１を案内するガイド手段１０１が設けられている。
【００２７】
本形態例では、このガイド手段１０１は、ケージ５５の内面であって、コネクタ５７の第１の面５７ａ、第２の面５７ｂと平行な面、本形態例では底面５５ｂに設けられ、ＳＦＰモジュール５１の底面５１ｂが当接可能で、ケージ５５の開放面近傍に設けられた第１の突部１０３と、コネクタ５７の近傍に設けられ第２の突部１０５とからなっている。
【００２８】
このような構成によれば、以下のような効果を得ることができる。
（１）プリント基板５３が、コネクタ５７の第１の面５７ａ、第２の面５７ｂの間の空間に、第１の面５７ａ、第２の面５７ｂと略平行に挿入されるようにＳＦＰモジュール５１を案内するガイド手段１０１をケージ５５内に設けたことにより、電源端子が電気的に接続されてから、信号端子が電気的に接続されるまでの時間が、規定時間内となり、回線障害が誤検出されない。
（２）ガイド手段１０１は、ケージ５５の内面であって、コネクタ５７の第１の面５７ａ、第２の面５７ｂと平行な面に設けられ、ＳＦＰモジュール５１が当接可能な第１の突部１０３と、第２の突部１０５とからなり、第１の突部１０３は、開放面５５ａ近傍に設けられ、第２の突部１０３は、コネクタ５７の近傍に設けられたことにより、ガイド手段１０１の構成が簡単ある。
【００２９】
又、規格では、本形態例の第１の突部１０３に流用できる突部がケージ５５の底面５１ｂに形成されているので、第２の突部１０５のみを形成すればよいので、更に、ガイド手段１０１の構成が簡単となる。
【００３０】
尚、本発明は、上記形態例に限定するものではない。上記形態例では、ガイド手段として、第１の突部０１３、第２の突部１０３を形成したが、３つ以上の突部を形成してもよい。
【００３１】
又、コネクタ５７の第１の面５７ａ、第２の面５７ｂの間の空間に、第１の面５７ａ、第２の面５７ｂと略平行に挿入されるようにＳＦＰモジュール５１を案内するように、ケージ５５の底面５５ｂに、ＳＦＰモジュール５１の底面５１ｂが面接触する平面を頂部に有し、下部が開放面５５ａからコネクタ５７にかけて延出する突部であってもよい。
【図面の簡単な説明】
【００３２】
【図１】形態例を説明する構成図である。
【図２】ＳＦＰモジュールとケージの端子接続機構を説明する図である。
【図３】図２のＳＦＰモジュール内に設けられたプリント基板の一方の面を説明する図である。
【図４】図３のプリント基板の一方の面を説明する図である。
【図５】図３、図４のプリント基板に形成された端子の長さを説明する図である。
【図６】図２のプリント基板とコネクタとの接続を説明する図である。
【図７】問題点を説明する図である。
【図８】問題点を説明する図である。
【符号の説明】
【００３３】
５１  ＳＦＰモジュール（光モジュール）
５３  プリント基板
５５  ケージ
５７コネクタ
５７ａ  第１の面
５７ｂ  第２の面
１０１  ガイド手段
【図１】
2007294349.tif 000003
【図２】
2007294349.tif 000004
【図３】
2007294349.tif 000005
【図４】
2007294349.tif 000006
【図５】
2007294349.tif 000007
【図６】
2007294349.tif 000008
【図７】
2007294349.tif 000009
【図８】
2007294349.tif 000010